(57)【要約】      （修正有）【課題】版胴と再給紙手段とがそれぞれ装置本体に対して着脱自在であると共に、装置本体からの離脱時において両者が接触することを防止することが可能な孔版印刷装置を提供する。【解決手段】用紙の一方の面に表面画像を印刷する表面印刷工程を行った後に該用紙の他方の面に裏面画像を印刷する裏面印刷工程を行う両面印刷が可能な孔版印刷装置１において、版胴及び再給紙手段が装置本体４２に対してそれぞれ個別に着脱自在であり、版胴を装置本体４２に対して固定する版胴固定手段４８と、再給紙手段を装置本体４２に対して固定する再給紙固定手段４９と、版胴の固定を解除する際に操作される版胴固定解除スイッチ５３と、再給紙手段の固定を解除する際に操作される再給紙固定解除スイッチ５５とを有し、固定解除スイッチが操作された方の固定のみを解除する構成とした。【選択図】図４
2008173824.tif 000002
【特許請求の範囲】
【請求項１】
装置本体に回転自在に支持された版胴及び前記版胴に対して接離自在に設けられた押圧手段を有する印刷部と、前記印刷部においてその表面に印刷画像を形成された用紙を一時的に貯容した後に前記印刷部に向けて再給紙する再給紙手段とを有し、用紙の一方の面に表面画像を印刷する表面印刷工程を行った後に該用紙の他方の面に裏面画像を印刷する裏面印刷工程を行う両面印刷が可能な孔版印刷装置において、
前記版胴及び前記再給紙手段が前記装置本体に対してそれぞれ個別に着脱自在であり、前記版胴を前記装置本体に対して固定する版胴固定手段と、前記再給紙手段を前記装置本体に対して固定する再給紙固定手段と、前記版胴の固定を解除する際に操作される版胴固定解除スイッチと、前記再給紙手段の固定を解除する際に操作される再給紙固定解除スイッチとを有し、前記固定解除スイッチが操作された方の固定のみを解除することを特徴とする孔版印刷装置。
【請求項２】
請求項１記載の孔版印刷装置において、
版胴固定解除表示手段と再給紙固定解除表示手段とを有し、前記版胴または前記再給紙手段の固定が解除された際に対応する表示手段を作動させることを特徴とする孔版印刷装置。
【請求項３】
請求項２記載の孔版印刷装置において、
前記装置本体は前記版胴及び前記再給紙手段を着脱する際に開閉されるカバーを有し、前記カバーが開放された際に前記版胴の固定を解除し、前記カバーが閉じられた際に前記版胴及び前記再給紙手段を固定させることを特徴とする孔版印刷装置。
【請求項４】
請求項３記載の孔版印刷装置において、
前記再給紙手段の近傍で用紙ジャムが発生している場合には前記カバーが開放された際に前記再給紙手段の固定を解除させることを特徴とする孔版印刷装置。
【発明の詳細な説明】
【技術分野】
【０００１】
本発明は、再給紙手段を有し両面印刷を行うことが可能な孔版印刷装置に関する。
【背景技術】
【０００２】
従来、簡便な印刷方法としてデジタル式感熱孔版印刷が知られている。これは、熱可塑性樹脂フィルムと多孔性支持体とを貼り合わせたマスタに微細な発熱素子を複数有するサーマルヘッドを接触させ、この発熱素子に対しパルス的に通電を行いながらマスタをプラテンローラ等の搬送手段で搬送することにより、マスタの熱可塑性樹脂フィルムに画像情報に基づいた穿孔画像を熱溶融穿孔製版した後、この穿孔製版されたマスタを多孔性円筒状の版胴に巻装させ、プレスローラ等の押圧手段によって用紙を版胴外周面に押圧させることで版胴内周面に供給されたインキを版胴開孔部及びマスタ穿孔部から滲出させ、このインキを用紙に転移させることにより用紙上に印刷画像を得るものである。
【０００３】
上述した孔版印刷において、最近では用紙の消費量及び書類の保管スペースを低減させるため等の目的から用紙の両面に印刷を行う両面印刷が頻繁に行われるようになってきている。この一例として、版胴の回転方向に第１製版画像と第２製版画像とが２面並んだ分割製版済みマスタを用い、給紙部より給紙された１枚目の用紙の表面に一方の製版画像を印刷した後にこの用紙を補助トレイに案内し、給紙部より給送された２枚目の用紙の表面に一方の製版画像を印刷した後にこの用紙を補助トレイに案内すると共に、補助トレイより１枚目の用紙を再給紙してこの裏面に他方の製版画像を印刷してこの用紙を排紙トレイに排出し、この動作を連続して行うことにより１工程で両面印刷物を得る孔版印刷装置が、例えば「特許文献１」に開示されている。
【０００４】
【特許文献１】特開２００５−２４６７３０号公報
【発明の開示】
【発明が解決しようとする課題】
【０００５】
「特許文献１」に開示された孔版印刷装置において、版胴及び補助トレイを有する再給紙手段を装置本体に対して着脱自在とすることにより、用紙ジャム発生時等においてその復旧作業を簡単に行うことができる。この版胴と再給紙手段とをそれぞれ個別に引き出すことが可能に構成すると、版胴と再給紙手段とを同時に引き出した際に両者が接触し、版胴及び再給紙手段の双方が破損したりインキが付着したりしてしまうという問題点がある。また、接触により版胴に巻装されているマスタが破損し、このマスタを用いた追加印刷ができなるという問題点もある。
【０００６】
本発明は上述した各問題点を解決し、版胴と再給紙手段とがそれぞれ装置本体に対して着脱自在であると共に、装置本体からの離脱時において両者が接触することを防止することが可能な孔版印刷装置の提供を目的とする。
【課題を解決するための手段】
【０００７】
請求項１記載の発明は、装置本体に回転自在に支持された版胴及び前記版胴に対して接離自在に設けられた押圧手段を有する印刷部と、前記印刷部においてその表面に印刷画像を形成された用紙を一時的に貯容した後に前記印刷部に向けて再給紙する再給紙手段とを有し、用紙の一方の面に表面画像を印刷する表面印刷工程を行った後に該用紙の他方の面に裏面画像を印刷する裏面印刷工程を行う両面印刷が可能な孔版印刷装置において、前記版胴及び前記再給紙手段が前記装置本体に対してそれぞれ個別に着脱自在であり、前記版胴を前記装置本体に対して固定する版胴固定手段と、前記再給紙手段を前記装置本体に対して固定する再給紙固定手段と、前記版胴の固定を解除する際に操作される版胴固定解除スイッチと、前記再給紙手段の固定を解除する際に操作される再給紙固定解除スイッチとを有し、前記固定解除スイッチが操作された方の固定のみを解除することを特徴とする。
【０００８】
請求項２記載の発明は、請求項１記載の孔版印刷装置において、さらに版胴固定解除表示手段と再給紙固定解除表示手段とを有し、前記版胴または前記再給紙手段の固定が解除された際に対応する表示手段を作動させることを特徴とする。
【０００９】
請求項３記載の発明は、請求項２記載の孔版印刷装置において、さらに前記装置本体は前記版胴及び前記再給紙手段を着脱する際に開閉されるカバーを有し、前記カバーが開放された際に前記版胴の固定を解除し、前記カバーが閉じられた際に前記版胴及び前記再給紙手段を固定させることを特徴とする。
【００１０】
請求項４記載の発明は、請求項３記載の孔版印刷装置において、さらに前記再給紙手段の近傍で用紙ジャムが発生している場合には前記カバーが開放された際に前記再給紙手段の固定を解除させることを特徴とする。
【発明の効果】
【００１１】
本発明によれば、版胴固定手段及び再給紙固定手段の制御により版胴ユニットまたは再給紙ユニットの何れか一方のみを装置本体から取り外すことができるので、版胴の交換あるいは再給紙手段周辺での用紙ジャム処理等において版胴ユニットと再給紙ユニットとが接触することにより発生する各ユニットの汚損や破損を防止することができると共に、版胴に巻装されたマスタが損傷することにより追加印刷が不可となる不具合の発生を防止することができる。
【発明を実施するための最良の形態】
【００１２】
図１は、本発明の一実施形態を採用した孔版印刷装置を示している。この孔版印刷装置は、特開２００３−２００６４５号に開示された両面印刷装置と関連した構成を有しているので、各部位の説明をできるだけ省略する。
【００１３】
図１において孔版印刷装置１は、印刷部２、製版部３、給紙部４、排版部５、排紙部６、画像読取部７、補助トレイ８を有する再給紙手段９、切替部材１０等を有している。
【００１４】
装置本体４２のほぼ中央に配置された印刷部２は、版胴１１と押圧手段としてのプレスローラ１２とを有している。版胴１１は装置本体４２に回転自在に支持されており、図示しない版胴駆動手段によって回転駆動される。版胴１１はその外周面に開閉自在なクランパ１３を有しており、両面印刷時において版胴１１の外周面には製版部３で製版された分割製版済みマスタ１４が巻装される。分割製版済みマスタ１４には表面画像に応じた第１製版画像と裏面画像に応じた第２製版画像とが形成されており、各製版画像間には未製版部分が形成されている。分割製版済みマスタ１４は、版胴１１上において、第１製版画像が図１に示す表面領域に、第２製版画像が同裏面領域に、未製版部分が同中間領域にそれぞれ対応するように巻装される。版胴１１の外周面近傍には、版胴１１の位置を検知する図示しないロータリエンコーダが設けられている。
【００１５】
版胴１１の下方にはプレスローラ１２が配設されている。フッ素樹脂等の撥水性を有する弾性体からなるプレスローラ１２は図示しないアーム部材にその両端を回転自在に支持されており、図示しないアーム部材は図示しない揺動手段によって揺動自在に支持されている。プレスローラ１２はその周面が版胴１１より離間する図１に示す離間位置と、その周面が版胴１１上の分割製版済みマスタ１４に圧接する圧接位置とを選択的に占める。プレスローラ１２の周面近傍には、プレスローラ１２の周面に接触してクリーニングを行うクリーニングローラ１６が配設されている。クリーニングローラ１６は、図示しない駆動手段によって回転駆動される。
【００１６】
プレスローラ１２の右方近傍には再給紙手段９から送られた表面印刷済みの用紙Ｐをプレスローラ１２の周面に沿わせて搬送するための再給紙案内部材１７が配設されており、プレスローラ１２の下方には補助トレイ８上に貯留された用紙Ｐをプレスローラ１２の周面に接触させて送り出す再給紙レジストローラ１８が配設されている。プレスローラ１２の左下方には上面に補助トレイ８を有する再給紙搬送ユニット１９が配設されており、これには再給紙位置決め部材２０が一体的に設けられている。再給紙搬送ユニット１９の上方には、補助トレイ８の上面に沿って移動自在な用紙受け板２１が配設されている。これら補助トレイ８、再給紙案内部材１７、再給紙レジストローラ１８、再給紙位置決め部材２０、再給紙搬送ユニット１９及び用紙受け板２１によって再給紙手段９が構成されている。
【００１７】
版胴１１とプレスローラ１２との接触位置の左方であって、用紙Ｐの搬送経路上には切替部材１０が配設されている。切替部材１０はその用紙搬送方向下流側端部を装置本体４２に回動自在に支持されており、図示しない移動手段によって移動され、図１に実線で示す第１の位置と二点鎖線で示す第２の位置とを選択的に占める。版胴１１とプレスローラ１２との間を通過した用紙Ｐは、切替部材１０が第１の位置を占めているときに排紙部６へと案内され、切替部材１０が第２の位置を占めているときに補助トレイ８へと案内される。
【００１８】
印刷部２の右上方には製版部３が配設されている。製版部３は、マスタ２２をロール状に巻成したマスタロールを保持するマスタ保持部材２３、プラテンローラ２４、サーマルヘッド２５、マスタ切断手段２６、マスタストック部２７、テンションローラ対２８、反転ローラ対２９等を有する周知の構成であり、製版部３では分割製版済みマスタ１４が作成される。
【００１９】
製版部３の下方には給紙部４が配設されている。給紙部４は、給紙トレイ、給紙ローラ、分離ローラ、分離パッド、レジストローラ対等を有する周知の構成である。
【００２０】
印刷部２の左上方に配設された排版部５も、上排版部材、下排版部材、排版ボックス、圧縮板等を有する周知の構成であり、使用済みの分割製版済みマスタ１４を版胴１１の外周面より剥離して排版ボックスの内部に廃棄する。
【００２１】
排版部５の下方には排紙部６が配設されている。排紙部６は、剥離爪３１、排紙搬送ユニット３２、排紙トレイ３３、剥離ファン３４等を有している。剥離爪３１は図示しない揺動手段によってその先端部が版胴１１の外周面に対して近接・離間自在に設けられており、近接位置を占めた際に版胴１１の外周面上より用紙Ｐを剥離する。排紙搬送ユニット３２は、駆動ローラ、従動ローラ、無端ベルト、吸引ファン等を有しており、無端ベルトの上面に印刷済みの用紙Ｐを吸引しつつ図１の矢印方向に搬送する。排紙トレイ３３は１個のエンドフェンスと一対のサイドフェンスとを有しており、その上面に印刷済みの用紙Ｐを積載する。剥離ファン３４は剥離爪３１の上方に配設されており、版胴１１の外周面に向けて送風を行うことにより表面印刷工程を終えて切替部材１０によって版胴１１の外周面上から剥離される用紙Ｐ、及び裏面印刷工程を終えて剥離爪３１によって版胴１１の外周面上から剥離される用紙Ｐの先端をそれぞれ送風によって浮き上がらせる。
【００２２】
装置本体の上部には画像読取部７が配設されている。画像読取部７は、図示しないコンタクトガラス、コンタクトガラスに対して接離自在に設けられた図示しない圧板、原稿画像を走査して読み取るそれぞれ図示しない反射ミラー及び蛍光灯、走査された画像を集束する図示しないレンズ、集束された画像を処理する図示しない画像センサ等を有している。
【００２３】
図２は、孔版印刷装置１の操作パネルを示している。同図において操作パネル１５には、製版スタートキー３５、印刷スタートキー３６、ストップキー３７、入力手段として機能するテンキー３８、７セグメントＬＥＤからなる表示装置３９、ＬＣＤからなる表示装置４０等の周知の構成の他、両面印刷を行う際に押下される両面印刷キー４１等が配設されている。
【００２４】
図３は、孔版印刷装置１に用いられる制御手段のブロック図である。同図において制御手段３０は、内部にＣＰＵ４３、ＲＯＭ４４、ＲＡＭ４５等を有するマイクロコンピュータであり、図示しないロータリエンコーダ及び操作パネル１５からの動作信号に基づいて印刷部２、製版部３、給紙部４、排版部５、排紙部６、画像読取部７、再給紙手段９、切替部材１０の作動をそれぞれ制御する。ＲＯＭ４４には孔版印刷装置１の動作プログラムが記憶されていると共に、ＲＡＭ４５には各種数値や情報等が一時的に記憶され、ＣＰＵ４３はＲＡＭ４５に記憶された数値や情報等及びＲＯＭ４４から呼び出された動作プログラムに基づいて孔版印刷装置１の動作制御を行う。
【００２５】
上述の構成において、版胴１１はその内部に設けられ内周面にインキを供給する周知のインキ供給手段及びこのインキ供給手段に供給されるインキを貯容する図示しないインキパック及びインキパック内のインキをインキ供給手段に送る図示しないインキポンプと共にユニット化されており、図４に示す版胴ユニット４６として装置本体４２に対して一体的に着脱自在に構成されている。また、再給紙手段９もユニット化されており、図４に示す再給紙ユニット４７（両面ユニットと呼ぶ場合もある）として装置本体４２に対して一体的に着脱自在に構成されている。各ユニット４６，４７は装置本体４２の前側に設けられており、装置前側に設けられた図示しないカバーを開放して着脱される。装置本体４２の各ユニット４６，４７装着部には、各ユニット４６，４７が装置本体４２に対して装着されているか否かを判断する図示しないセンサが設けられている。また再給紙ユニット４７には、再給紙ユニット４７の近傍において用紙ジャムが発生しているか否かを判断する図示しないセンサが設けられている。
【００２６】
図４に示すように、版胴ユニット４６の左方近傍には版胴ユニット４６を装置本体４２に対して固定する版胴固定手段４８が、再給紙ユニット４７の左方近傍には再給紙ユニット４７を装置本体４２に対して固定する再給紙固定手段４９がそれぞれ配設されている。版胴固定手段４８と再給紙固定手段４９とは同様に構成されているため、本実施形態では版胴固定手段４８についてのみ説明する。
【００２７】
図５に示すように版胴固定手段４８は、プル型のソレノイド５０、ソレノイド５０のプランジャに取り付けられた係止片５１、引張ばね５２等から構成されている。ソレノイド５０は装置本体４２に取り付けられており、係止片５１は版胴ユニット４６に形成された切欠部に係合可能な先端部を有している。引張ばね５２は、その一端を係止片５１に取り付けられ、他端を装置本体４２に固定されている。上述の構成より、ソレノイド５０の非作動時において引張ばね５２の付勢力によって係止片５１が版胴ユニット４６に係合していることにより図５に示すように版胴ユニット４６の装置本体４２からの引き出しが規制され、ソレノイド５０が作動し係止片５１が左方へと引かれて係止片５１と版胴ユニット４６の係合が解除されることにより図６に示すように版胴ユニット４６の装置本体４２からの引き出しが許容される。以下、ソレノイド５０が作動していて装置本体４２から版胴ユニット４６及び再給紙ユニット４７が引き出し可能である状態を版胴固定手段４８及び再給紙固定手段４９の作動解除状態、ソレノイド５０の作動が解除されていて装置本体４２から版胴ユニット４６及び再給紙ユニット４７が引き出し不可である状態を版胴固定手段４８及び再給紙固定手段４９の作動状態として説明する。
【００２８】
図４に示すように版胴ユニット４６の右方近傍には、装置本体４２より版胴ユニット４６を引き出すべく版胴固定手段４８による版胴ユニット４６の固定を解除させる際に押下される版胴固定解除スイッチ５３が配設されており、版胴固定解除スイッチ５３の近傍には版胴固定解除スイッチ５３が押下されて版胴固定手段４８による版胴ユニット４６の固定が解除されたことを表示する版胴固定解除表示手段としてのＬＥＤ５４が配設されている。また、再給紙ユニット４７の右方近傍には、装置本体４２より再給紙ユニット４７を引き出すべく再給紙固定手段４９による再給紙ユニット４７の固定を解除させる際に押下される再給紙固定解除スイッチ５５が配設されており、再給紙固定解除スイッチ５５の近傍には再給紙固定解除スイッチ５５が押下されて再給紙固定手段４９による再給紙ユニット４７の固定が解除されたことを表示する再給紙固定解除表示手段としてのＬＥＤ５６が配設されている。
【００２９】
上述の構成に基づき、本発明の第１の実施形態における動作を説明する。先ず、装置本体４２から版胴１１を取り外す場合について図７に示すフローチャートに基づいて説明する。  
オペレータは孔版印刷装置１の図示しないカバーを解放して版胴固定解除スイッチ５３を押下する（ＳＴ１）。版胴固定解除スイッチ５３が押下されると、再給紙ユニット４７が装置本体４２に装着されている場合（ＳＴ２）であって再給紙ユニット４７が装置本体４２に対して固定されていない場合（ＳＴ３）には再給紙固定手段４９が作動し再給紙ユニット４７が装置本体４２に対して固定されて（ＳＴ４）ＬＥＤ５６が消灯する（ＳＴ５）と共に、版胴固定手段４８の作動が解除され版胴ユニット４６の装置本体４２に対する固定が解除されて（ＳＴ６）ＬＥＤ５４が点灯し（ＳＴ７）、装置本体４２からの版胴ユニット４６の引き出しが可能となる。ＳＴ３において再給紙ユニット４７が装置本体４２に対して固定されている場合には、ＳＴ４及びＳＴ５が省略されてＳＴ６に進む。また、ＳＴ２において装置本体４２から再給紙ユニット４７が取り外されている場合には、図８に示すように装置本体４２に対して再給紙ユニット４７を装着しないと版胴ユニット４６を装置本体４２から引き出せないことをＬＣＤ表示装置４０に警告表示する（ＳＴ８）。
【００３０】
次に、装置本体４２から再給紙手段９を取り外す場合について図９に示すフローチャートに基づいて説明する。  
オペレータは孔版印刷装置１の図示しないカバーを解放して再給紙固定解除スイッチ５５を押下する（ＳＴ１１）。再給紙固定解除スイッチ５５が押下されると、版胴ユニット４６が装置本体４２に装着されている場合（ＳＴ１２）であって版胴ユニット４６が装置本体４２に対して固定されていない場合（ＳＴ１３）には版胴固定手段４８が作動し版胴ユニット４６が装置本体４２に対して固定されて（ＳＴ１４）ＬＥＤ５４が消灯する（ＳＴ１５）と共に、再給紙固定手段４９の作動が解除され再給紙ユニット４７の装置本体４２に対する固定が解除されて（ＳＴ１６）ＬＥＤ５６が点灯し（ＳＴ１７）、装置本体４２からの再給紙ユニット４７の引き出しが可能となる。ＳＴ１３において版胴ユニット４６が装置本体４２に対して固定されている場合には、ＳＴ１４及びＳＴ１５が省略されてＳＴ１６に進む。また、ＳＴ１２において装置本体４２から版胴ユニット４６が取り外されている場合には、図１０に示すように装置本体４２に対して版胴ユニット４６を装着しないと再給紙ユニット４７を装置本体４２から引き出せないことをＬＣＤ表示装置４０に警告表示する（ＳＴ１８）。
【００３１】
上述の構成によれば、版胴固定手段４８及び再給紙固定手段４９の制御により版胴ユニット４６または再給紙ユニット４７の何れか一方のみを装置本体４２から取り外すことができるので、版胴１１の交換あるいは再給紙手段９周辺での用紙ジャム処理等において版胴ユニット４６と再給紙ユニット４７とが接触することにより発生する各ユニットの汚損や破損を防止することができると共に、版胴１１に巻装されたマスタが損傷することにより追加印刷が不可となる不具合の発生を防止することができる。
【００３２】
次に、本発明の第２の実施形態における動作を図１１及び図１２に示すフローチャートに基づいて説明する。  
オペレータにより図示しないカバーが開放されると（ＳＴ２１）、版胴固定手段４８の作動が停止されて版胴ユニット４６の装置本体４２に対する固定が解除され（ＳＴ２２）、ＬＥＤ５４が点灯する（ＳＴ２３）。また、オペレータにより図示しないカバーが閉塞されると（ＳＴ３１）、再給紙ユニット４７が装置本体４２に装着されているか否かが判断され（ＳＴ３２）、再給紙ユニット４７が装置本体４２に装着されている場合には再給紙固定手段４９が作動して再給紙ユニット４７が装置本体４２に対して固定される（ＳＴ３３）と共にＬＥＤ５６が消灯する（ＳＴ３４）。さらに版胴ユニット４６が装置本体４２に装着されているか否かが判断され（ＳＴ３５）、版胴ユニット４６が装置本体４２に装着されている場合には版胴固定手段４８が作動して版胴ユニット４６が装置本体４２に対して固定される（ＳＴ３６）と共にＬＥＤ５４が消灯する（ＳＴ３７）。ＳＴ３２において再給紙ユニット４７が装置本体４２に装着されていない場合には、再給紙ユニット４７が装置本体４２から取り外されていることをＬＣＤ表示装置４０に警告表示する（ＳＴ３８）。また、ＳＴ３５において版胴ユニット４６が装置本体４２に装着されていない場合には、版胴ユニット４６が装置本体４２から取り外されていることをＬＣＤ表示装置４０に警告表示する（ＳＴ３９）。
【００３３】
上述の構成によれば、カバーが開放された際に自動的に版胴ユニット４６の固定状態を解除するので、版胴固定解除スイッチ５３を押下せずとも装置本体４２から版胴１１を取り外すことができ、操作性を向上することができる。また、カバーが閉塞された際に自動的に版胴ユニット４６及び再給紙ユニット４７を装置本体４２に対して固定するので、操作性を向上することができると共にソレノイド５０の励磁状態を解除することにより消費電力を低減することができる。
【００３４】
次に、本発明の第３の実施形態における動作を図１３に示すフローチャートに基づいて説明する。  
オペレータにより図示しないカバーが開放されると（ＳＴ４１）、版胴固定手段４８の作動が停止されて版胴ユニット４６の装置本体４２に対する固定が解除され（ＳＴ４２）、ＬＥＤ５４が点灯する（ＳＴ４３）。そして、再給紙ユニット４７近傍における用紙ジャム発生の有無が判断され（ＳＴ４４）、用紙ジャムが発生していないと判断された場合には動作を完了する。用紙ジャムが発生していると判断された場合には、再給紙固定手段４９の作動が解除されて再給紙ユニット４７の装置本体４２に対する固定が解除される（ＳＴ４５）と共にＬＥＤ５６が点灯し（ＳＴ４６）、版胴固定手段４８が作動して版胴ユニット４６が装置本体４２に対して固定される（ＳＴ４７）と共にＬＥＤ５４が消灯する（ＳＴ４８）。
【００３５】
上述の構成によれば、カバーが開放された際に自動的に版胴ユニット４６の固定状態を解除するので、版胴固定解除スイッチ５３を押下せずとも装置本体４２から版胴１１を取り外すことができ、操作性を向上することができる。また、カバーが開放された際に再給紙ユニット近傍において用紙ジャムが発生している場合には自動的に装置本体４２に対する再給紙ユニット４７の固定を解除するので、ジャム処理の作業性を向上することができる。
【図面の簡単な説明】
【００３６】
【図１】本発明の一実施形態を採用した両面印刷が可能な孔版印刷装置の概略正面図である。
【図２】本発明の一実施形態に用いられる操作パネルの概略図である。
【図３】本発明の一実施形態に用いられる制御手段のブロック図である。
【図４】本発明の一実施形態に用いられる版胴ユニット及び再給紙ユニットの周辺構成を説明する概略図である。
【図５】本発明の一実施形態に用いられる版胴固定手段の固定状態を説明する概略図である。
【図６】本発明の一実施形態に用いられる版胴固定手段の固定解除状態を説明する概略図である。
【図７】本発明の第１の実施形態における版胴固定手段の動作を説明するフローチャートである。
【図８】本発明の第１の実施形態における再給紙ユニット非装着時における警告表示を示す概略図である。
【図９】本発明の第１の実施形態における再給紙固定手段の動作を説明するフローチャートである。
【図１０】本発明の第１の実施形態における版胴ユニット非装着時における警告表示を示す概略図である。
【図１１】本発明の第２の実施形態におけるカバー開放時の版胴固定手段の動作を説明するフローチャートである。
【図１２】本発明の第２の実施形態におけるカバー閉塞時の版胴固定手段及び再給紙固定手段の動作を説明するフローチャートである。
【図１３】本発明の第３の実施形態におけるカバー開放時の版胴固定手段及び再給紙固定手段の動作を説明するフローチャートである。
【符号の説明】
【００３７】
１  孔版印刷装置
２  印刷部
９  再給紙手段
１１  版胴
１２  押圧手段（プレスローラ）
４２  装置本体
４８  版胴固定手段
４９  再給紙固定手段
５３  版胴固定解除スイッチ
５４  版胴固定解除表示手段（ＬＥＤ）
５５  再給紙固定解除スイッチ
５６  再給紙固定解除表示手段（ＬＥＤ）
【図１】
2008173824.tif 000003
【図２】
2008173824.tif 000004
【図３】
2008173824.tif 000005
【図４】
2008173824.tif 000006
【図５】
2008173824.tif 000007
【図６】
2008173824.tif 000008
【図７】
2008173824.tif 000009
【図８】
2008173824.tif 000010
【図９】
2008173824.tif 000011
【図１０】
2008173824.tif 000012
【図１１】
2008173824.tif 000013
【図１２】
2008173824.tif 000014
【図１３】
2008173824.tif 000015